(57)【特許請求の範囲】
【請求項１】
１本のレーザ光を分離し、静電潜像の記録に用いるレーザ光と静電潜像の記録に用いないレーザ光とを生成する光分離手段と、前記静電潜像の記録に用いないレーザ光を検知し、該レーザ光の光量を測定する光量測定手段とをケーシング内に収容するとともに、前記光量測定手段と該光量測定手段の出力に基づきレーザ光の強度を調整する制御手段とを接続する電線が前記ケーシング外部に露出した電子写真装置の光源モジュールにおいて、
前記ケーシングに形成された電線引き出し穴と該引き出し穴から引き出された電線との隙間を弾性材料で密閉したことを特徴とする電子写真装置の光源モジュール。
【請求項２】
前記静電潜像記録用レーザ光を出射する出射口を有したケーシング先端面を単一平面として形成したことを特徴とする請求項１記載の電子写真装置の光源モジュール。
【請求項３】
前記ケーシング側面に、該ケーシング先端面を覆う着脱自在な弾性体キャップを支持させたことを特徴とする請求項１または２記載の電子写真装置の光源モジュール。
【発明の詳細な説明】
【０００１】
【発明の属する技術分野】
本発明は、主として感光体などの記録媒体に静電潜像を記録形成するために用いられる電子写真装置の光源モジュールに関する。
【０００２】
【従来の技術】
従来技術を図３および図４を用いて説明する。光源モジュール１は、走査光学系が構成された光学室２の外部に接続される構成となっており、光源モジュール１としては例えば波長４８８ｎｍを発するアルゴンレーザが用いられる。光学室２と光源モジュール１の接続部に生じる隙間は、例えばネオプレンスポンジゴムの様な弾性体３を設けることによりシールされている。光源モジュール１から出射されたレーザ光は、ミラー４で光路変更された後、レンズ５によって約７０μｍの所定ビーム径に絞られ、ＡＯモジュレータ６に入射する。ＡＯモジュレータ６に入射したレーザ光は、静電潜像形成用デジタル信号を変調部材７に入れ、２００Ｍｈｚの変調周波数と合体させた変調波により変調される。変調波により変調されたレーザ光は、レンズ８、ミラー９、レンズ１０、回転多面鏡１１およびｆθレンズ１２により必要なビーム径（例えば解像度が２４０ドット／インチの場合、約１０６μｍ）に絞られた後、ミラー１３で反射する。ミラー１３で反射したレーザ光は光学室２の所定位置に形成された開口部（図示せず）から出射し、図示しない記録媒体に照射される。また、光学室２には、図３においてＷで示す方向に空気を流すことにより静圧が発生するようファン１４が設けられている。
【０００３】
図４に示すように光源モジュール１のケーシング１ａ内におけるレーザ光軸上には光分離部材１５が設けられており、レーザ光の一部を例えばフォトダイオードを使用した光量測定部材１６へ反射させ、光量測定部材１６の発生電圧をモニタし、制御回路１７でレーザ光の出力制御が行われる。また、ケーシング１ａにはＪＩＳ Ｃ６８０２等の規格により手動でレーザを遮断する機構を設ける必要があるため、その先端面１ｂに溝１ｃを設けるとともに、溝１ｃに沿ってスライドする鉄製のシャッタ部材１８を設け、レーザ光を手動で照射／遮断切り替えできる様に構成されている。さらに、ケーシング１ａ先端部には、光量測定部材１６の出力を制御回路１７に伝えるための電線１９の引き出し穴１ｄが設けられている。なお、符号２０はシャッタ部材１８を保持するための押さえ部材である。
【０００４】
【発明が解決しようとする課題】
ところで、上記構成の場合は、光学室２内に静圧が発生しているため、光学室２内に侵入した約１０μｍのトナー等の粉塵が、出射口１ｅにできるシャッタ部材１８の隙間および電線１９の引き出し穴１ｄから光学室２内の空気が抜けることにより、空気の流れに乗って光源モジュール１内部に侵入し、光分離部材１５の表面に付着し、レーザ光出力が低下してしまうという欠点があった。また、光量測定部材１６への入射光が低下することにより、出力制御が正常に行われなくなり、出力不安定状態を招くという欠点があった。さらに、光量測定部材１６への入射光が低下したことを制御回路１７が判断する度に発振電流が多く流れ光源モジュール１の短寿命を招くという欠点もあった。
【０００５】
本発明の目的は、上記従来技術の欠点を解消し、レーザ光出力の安定した光源モジュールを提供することにある。
【０００６】
【課題を解決するための手段】
上記の目的は、１本のレーザ光を分離し、静電潜像の記録に用いるレーザ光と静電潜像の記録に用いないレーザ光とを生成する光分離手段と、前記静電潜像の記録に用いないレーザ光を検知し、該レーザ光の光量を測定する光量測定手段とをケーシング内に収容するとともに、前記光量測定手段と該光量測定手段の出力に基づきレーザ光の強度を調整する制御手段とを接続する電線が前記ケーシング外部に露出した電子写真装置の光源モジュールにおいて、前記ケーシングに形成された電線引き出し穴と該引き出し穴から引き出された電線との隙間を弾性材料で密閉することにより達成される。
また、上記の目的は、前記静電潜像記録用レーザ光を出射する出射口を有したケーシング先端面を単一平面として形成することにより達成される。
さらに、前記ケーシング側面に、該ケーシング先端面を覆う着脱自在な弾性体キャップを支持させることにより達成される。
【０００７】
【発明の実施の形態】
以下、本発明の実施例を図面を用いて説明する。なお、光学装置としての全体構成は上述した図３の構成と実質上、同等であるからその説明は省略する。本発明においては、手動でレーザ光を照射／遮断する部材を、図１および図２に示すように例えばゴム製のキャップ部材２１としたので、従来技術の様にシャッタ部材を案内するための溝などを設ける必要がなくなり、その結果、ケーシング１ａの先端面１ｂを段差のない単一平面として形成することが可能になる。ここで、キャップ部材２１の一端はネジ２２によってケーシング１ａに固定されている。また、光源モジュール１を光学室２に取り付ける際はキャップ部材２１を外し、ケーシング１ａの先端面１ｂを弾性体３（図３参照）に突き当てて装着することにより完全に密着するようにした。また、電線１９の引き出し穴には、例えばコニシ製エポキシ系接着剤ボンドクイック５のような接着剤２３を注入し、空気の通り道を塞いだ。上記構成において、光学室２内に静圧が発生しても、光学室２に侵入したトナー等の粉塵が光源モジュール１内に侵入するのを防ぐことができることを確認した。なお、本実施例においては、電線１９の引き出し穴を接着剤で密閉する構成に基づき説明したが、接着剤以外に弾性部材を詰め込む構成としてもある程度の効果が得られる。
【０００８】
【発明の効果】
上述のように本発明によれば、１本のレーザ光を分離し、静電潜像の記録に用いるレーザ光と静電潜像の記録に用いないレーザ光とを生成する光分離手段と、前記静電潜像の記録に用いないレーザ光を検知し、該レーザ光の光量を測定する光量測定手段とをケーシング内に収容するとともに、前記光量測定手段と該光量測定手段の出力に基づきレーザ光の強度を調整する制御手段とを接続する電線が前記ケーシング外部に露出した電子写真装置の光源モジュールにおいて、前記ケーシングに形成された電線引き出し穴と該引き出し穴から引き出された電線との隙間を弾性材料で密閉したので、光学室から送り出されて来る粉塵あるいは外部に浮遊している粉塵の侵入を確実に防ぐことができ、レーザ光出力の安定した光源モジュールを提供することができる。
【図面の簡単な説明】
【図１】本発明の光源モジュールの外観斜視図。
【図２】本発明の光源モジュールの要部断面図。
【図３】電子写真装置の光学装置の概略構成図。
【図４】従来の光源モジュールの断面図。
【符号の説明】
１…光源モジュール、１ａ…ケーシング、１５…光分離部材、１６…光量測定部材、１９…電線、２１…キャップ部材、２３…弾性材料(接着剤)。
【図１】
0003649263.tif 000002
【図２】
0003649263.tif 000003
【図３】
0003649263.tif 000004
【図４】
0003649263.tif 000005